(57)【要約】    【課題】  貼着して写真撮影の後容易に取り外し得る写真計測用ターゲット、全体の計測に加えて一部分を細部まで計測する場合に精度を向上させ得る写真計測用ターゲット、写真計測用ターゲットを所要箇所に容易に貼着し得るターゲット貼着用具。    【解決手段】  円形本体部１０と外方突出部１２を備えたシート状のターゲットａは、本体部１０の表側中央部に反射部１４を有し、反射部１４を取り囲む環状部分は無反射部１６である。本体部１０の裏側全面に粘着剤層１８を有し、外方突出部１２の裏側には粘着剤層を有しない。ターゲットａ上に貼着し得るカバー体ｐは、カバー体反射部１４１の直径と無反射部１６の内径がターゲットａの反射部１４と無反射部１６より小さいことを除きターゲットａと同じである。ターゲット貼着用具Ｌは、管状の柄部Ｌ１の基部に連通した袋状の操作部Ｌ２と、柄部Ｌ１の先端が軸線に対し傾斜した傾斜端面に形成された吸着部Ｌ３からなる。【選択図】      図１
0003119253.tif 000002
【実用新案登録請求の範囲】
【請求項１】
計測対象に対し所要位置群を設定し、その所要位置群を含めて計測対象を写真撮影し、撮影された写真上の前記所要位置を用いて、計測対象についての位置的な計測を行う写真計測において、前記計測対象に配設されて光線類の反射により前記所要位置の特定に用いられるターゲットであって、
前記ターゲットは、本体部と、その本体部から外方に突出した外方突出部とを備えたシート片からなり、
前記本体部の表側には、光線類を反射するための反射部を有し、
前記本体部の裏側には、計測対象に対し着脱可能な貼着手段を備え、
前記外方突出部の裏側には、全部に貼着手段を有しないか又は少なくとも端部を除く部分に貼着手段を有することを特徴とする写真計測用のターゲット。
【請求項２】
本体部が、反射部と、その反射部を取り囲む非反射部を備える請求項１記載の写真計測用のターゲット。
【請求項３】
上記ターゲットがシート片からなるカバー体ｐを備えており、
前記ターゲットおよび／またはカバー体ｐは、ターゲットの本体部に対しカバー体ｐを位置決めする位置決め手段を備え、
前記カバー体ｐは、貼着手段をカバー体裏面側に有すると共に、本体部の反射部よりも小さいカバー体反射部をカバー体表面側に有し、前記位置決め手段により位置決めされて少なくとも本体部の表側に貼着された状態において、少なくとも本体部の表側の反射部を覆い且つ本体部の反射部における所定位置に対応する位置にカバー体反射部が位置するものである請求項１又は２記載の写真計測用のターゲット。
【請求項４】
上記ターゲットがシート片からなるカバー体ｑを備えており、
前記ターゲットおよび／またはカバー体ｑは、ターゲットの本体部に対しカバー体ｑを位置決めする位置決め手段を備え、
前記カバー体ｑは、貼着手段をカバー体裏面側に有すると共に、本体部の反射部よりも大きいカバー体反射部をカバー体表面側に有し、前記位置決め手段により位置決めされて本体部および／または計測対象に貼着された状態において、少なくとも本体部の表側の反射部を覆い且つ本体部の反射部に対し所定の位置関係で前記カバー体反射部が位置するものである請求項１又は２記載の写真計測用のターゲット。
【請求項５】
上記ターゲットがシート片からなるカバー体ｒを備えており、
前記カバー体ｒは、貼着手段により、本体部の表側に本体部から取り外し可能に貼着されており、本体部の反射部よりも小さい小カバー体反射部をカバー体表面側に有し、本体部の表側の反射部を覆い且つ本体部の反射部における所定位置に対応する位置に前記小カバー体反射部が位置している請求項１又は２記載の写真計測用のターゲット。
【請求項６】
上記ターゲットがシート片からなるカバー体ｓを備えており、
前記カバー体ｓは、貼着手段により、本体部の表側に本体部から取り外し可能に貼着されており、本体部の反射部よりも大きい大カバー体反射部をカバー体表面側に有し、本体部の表側の反射部を覆い且つ本体部の反射部に対し所定の位置関係で前記大カバー体反射部が位置している請求項１又は２記載の写真計測用のターゲット。
【請求項７】
上記ターゲットがシート片からなるカバー体ｔを備えており、
前記ターゲットおよび／またはカバー体ｔは、ターゲットの本体部に対しカバー体ｔを位置決めする位置決め手段を備え、
前記カバー体ｔは、貼着手段をカバー体裏面側に有すると共に、本体部の反射部よりも小さい小透孔を有し、前記位置決め手段により位置決めされた状態において、前記小透孔以外の部分が少なくとも本体部の表側の反射部を覆い且つ本体部の反射部における所定位置に対応する位置に前記小透孔が位置するものである請求項１又は２記載の写真計測用のターゲット。
【請求項８】
上記ターゲットがシート片からなるカバー体ｕを備えており、
前記ターゲットおよび／またはカバー体ｕは、ターゲットの本体部に対しカバー体を位置決めする位置決め手段を備え、
前記カバー体ｕは、貼着手段をカバー体裏面側に有すると共に、本体部の反射部以下の大きさの透孔を有し、前記位置決め手段により位置決めされた状態において、前記透孔内に本体部の反射部の所定部分が位置し且つ本体部の反射部に対し所定の位置関係で前記透孔を取り囲んでカバー体反射部が位置するものである請求項１又は２記載の写真計測用のターゲット。
【請求項９】
上記ターゲットがシート片からなるカバー体ｖを備えており、
前記カバー体ｖは、貼着手段により、本体部の表側に本体部から取り外し可能に貼着されており、本体部の反射部よりも小さい小透孔を有し、前記小透孔以外の部分が少なくとも本体部の表側の反射部を覆い且つ本体部の反射部における所定位置に対応する位置に前記小透孔が位置している請求項１又は２記載の写真計測用のターゲット。
【請求項１０】
上記ターゲットがシート片からなるカバー体ｗを備えており、
前記カバー体ｗは、貼着手段により、少なくとも本体部の表側に本体部から取り外し可能に貼着されており、本体部の反射部以下の大きさの透孔を有し、前記透孔内に本体部の反射部の所定部分が位置し且つ本体部の反射部に対し所定の位置関係で前記透孔を取り囲んでカバー体反射部が位置している請求項１又は２記載の写真計測用のターゲット。
【請求項１１】
カバー体が着脱可能なものであり、そのカバー体に外方突出部を有し、その外方突出部の裏側には、全部に貼着手段を有しないか又は少なくとも端部を除く部分に貼着手段を有する請求項３、４、７又は８記載の写真計測用のターゲット。
【請求項１２】
カバー体に外方突出部を有し、その外方突出部の裏側には、全部に貼着手段を有しないか又は少なくとも端部を除く部分に貼着手段を有する請求項５、６、９又は１０記載の写真計測用のターゲット。
【請求項１３】
光線類を反射するための反射部を表側に有し裏側に貼着手段を有する写真計測用のターゲットを計測対象に貼着するための貼着用具であって、
前記ターゲットをその表側において吸着し得る吸着部と、
その吸着部が先端側に設けられた柄部と、
その柄部の基端側に設けられ、前記吸着部を吸着可能状態と非吸着状態に切り替えることができる操作部を有することを特徴とするターゲット貼着用具。
【請求項１４】
吸着部にターゲットの表側を吸着した状態において、ターゲットの表側のうち吸着部に吸着された部分の特定位置を示す指示手段を、柄部の基端側から目視し得るように備えた請求項１３記載のターゲット貼着用具。
【請求項１５】
吸着部に吸着されたターゲットと柄部の軸線方向との角度を変更し得る角度変更手段を備えた請求項１３又は１４記載のターゲット貼着用具。
【考案の詳細な説明】
【技術分野】
【０００１】
本考案は、写真計測における位置特定のための写真計測用ターゲット、及びその写真計測用ターゲットを計測対象の所要箇所に貼着するためのターゲット貼着用具に関する。
【背景技術】
【０００２】
計測対象について、位置的な計測（位置、形状、長さ、角度、変位等についての計測）を写真撮影を用いて行う写真計測においては、計測対象に対し所要位置群を設定し、その所要位置群を含めて計測対象を写真撮影し、撮影された写真上の前記所要位置を用いて、計測対象についての位置的な計測を行う。このような写真計測においては、計測対象の所要位置を写真像上で明瞭に特定するために、光を反射する標識、すなわち写真計測用のターゲットを、計測対象の所要位置に貼着して写真撮影することが行われている。
【０００３】
写真計測用のターゲットを用いた写真計測の概略は次の通りである。
1）計測対象に光を反射するターゲットを貼り付ける
2）計測対象をカメラで複数の方向からストロボ撮影することによりターゲットの明瞭な像を得る
3）写真上の像の位置を正確に計測する
4）写真上の像の位置に基づき、計算によってターゲットの空間座標を求める
【０００４】
写真計測用のターゲットは、例えば、反射部の周囲を無反射部により取り囲んだものとすることができる。具体的には、例えば、紙等のシート状物の表面側に反射材層を形成した反射シート上に、反射部を取り囲む無反射部を形成するための黒色無反射塗料を印刷し、裏面側に、貼着対象に対し着脱可能な粘着剤層を設けることにより製造することができる。ターゲットの外形は、例えば円形、正方形等を適宜採用し得る。反射部は円形とすることが好ましい。ターゲットの大きさ、特に反射部の大きさは、測定対象の大きさや測定範囲の大きさに応じたものとすることが望ましい。
【０００５】
このような写真計測においては、精度を良くするためにできるだけ多くの所要位置を設けてそれらの所要位置にターゲットを貼着した上で写真撮影を行うすることが望まれる。これらのターゲットは、写真撮影後に計測対象から取り外すことが多いが、精度の良い計測を行うために計測対象にしっかりと貼着された多数のターゲットを取り外す作業は極めて煩雑であった。従来は、作業者の爪の先で剥がしたり、鏝のような道具を用いていたが、計測対象を損傷させることなく取り外す必要がある場合が多いため、作業に多くの労力を要した。
【０００６】
また、写真計測においては、作業者の手が届きにくい位置にターゲットを貼着することが必要な場合がある。例えば、鉄筋コンクリート構造物のための鉄筋の配筋位置が設計通りであるか否かの検査は、写真計測により極めて効率的且つ適切に行うことができるが、組み上げられた鉄筋のうち手前側のもの及び奥側のもの並びに奥の型枠等にターゲットを貼着する作業及び貼着したターゲットを取り外す作業は困難を伴った。
【０００７】
また、例えば大きな構造物を三次元計測する場合に、全体の計測のほかに、部分的に細部まで精密に計測することがある。このような場合、比較的離れた位置から計測対象全体を撮影することにより得られるターゲット群の像に基づく所要位置群による一次計測網と、比較的近い位置から必要部分を撮影することにより得られるターゲット群の像に基づく所要位置群による二次計測網を同時調整し、又は例えば一次計測網を先に調整して二次計測網を次に調整することにより、全体の座標系と部分の座標系を接続する必要がある。
【０００８】
このような場合、一般的には、一次計測網のためのターゲット群については比較的大きなターゲットを広い範囲に比較的低い密度で分布させ、二次計測網のためのターゲット群については比較的小さいターゲットを狭い範囲に比較的高い密度で分布させてそれぞれ写真撮影を行う。例えば、３０ｍ程度の幅の計測対象についての一次計測網には直径１００ｍｍ程度の大きなターゲットを用い、その一部の精密計測についての二次計測網には直径１０ｍｍ程度の小さなターゲットを用いる。
【０００９】
全体の座標系と部分の座標系を接続するには、二次計測網についてのターゲットの一部により特定する所要位置と一次計測網についてのターゲットの一部により特定する所要位置を共通にすることが望ましい。そのためには、大きなターゲットの真ん中に小さなターゲットを貼着することが考えられるが、その場合、大きなターゲットによる反射が明るくて小さなターゲットによる光の反射を精度良く捉えることが困難なため計測に支障を来たすこととなり、また、各ターゲットを再利用する場合は、小さなターゲットを取り外すと大きなターゲットの反射部を損傷させて再利用できなくなる恐れがあった。また、大きなターゲットを取り外して小さなターゲットを貼着する（或いはこの逆）場合、位置精度が損なわれる恐れがあると共に、ターゲットの貼着及び取り外しが繰り返されることにより計測対象を損傷させるおそれがあった。
【００１０】
写真計測用のターゲットについて、銀白色台紙上に透明ガラスビーズを密集接着固定することにより光の反射の指向性をなくして精度を向上させる技術や、裏面の離型シートを分割して計測対象に正確に貼着するための技術に関しては、特開２００１−２４９０２０号公報（特許文献１）に記載されているが、上記のような点を解決する内容は示されていない。
【特許文献１】特開２００１−２４９０２０号公報
【考案の開示】
【考案が解決しようとする課題】
【００１１】
本考案は、従来技術に存した上記のような課題に鑑み行われたものであって、その目的とするところは、計測対象に貼着して写真撮影を行った後、容易に取り外すことができる写真計測用ターゲット、計測対象全体の計測に加えて計測対象の一部分を細部まで計測する場合等において計測精度を向上させることができる写真計測用ターゲット、及び、写真計測用ターゲットを計測対象の所要箇所に容易に貼着するためのターゲット貼着用具を提供することにある。
【課題を解決するための手段】
【００１２】
(1) 上記目的を達成する本考案の写真計測用のターゲットは、
計測対象に対し所要位置群を設定し、その所要位置群を含めて計測対象を写真撮影し、撮影された写真上の前記所要位置を用いて、計測対象についての位置的な計測を行う写真計測において、前記計測対象に配設されて光線類の反射により前記所要位置の特定に用いられるターゲットであって、
前記ターゲットは、本体部と、その本体部から外方に突出した外方突出部とを備えたシート片からなり、
前記本体部の表側には、光線類を反射するための反射部を有し、
前記本体部の裏側には、計測対象に対し着脱可能な貼着手段を備え、
前記外方突出部の裏側には、全部に貼着手段を有しないか又は少なくとも端部を除く部分に貼着手段を有することを特徴とする。
【００１３】
ターゲットの本体部から外方に突出した外方突出部の全部又は少なくとも端部の裏側に貼着手段が設けられていないため、裏側に設けられた貼着手段により計測対象に貼着されたターゲットを計測対象から取り外す場合に、ターゲットの外方突出部のうち、端部等の裏側に貼着手段が設けられていない部分を摘むことにより、ターゲットの取り外しを円滑に実行することができる。そのため、多数のターゲットを計測対象から取り外す作業を容易且つ迅速に行うことができる。
【００１４】
上記写真計測用のターゲットは、本体部が、反射部と、その反射部を取り囲む非反射部を備えるものとすることが好ましい。このターゲットは、反射部が非反射部により取り囲まれているので、写真撮影において反射部の明瞭な像が確実に得られ、精度の良い写真計測を実現し得る。
【００１５】
(2-1) 本考案の写真計測用のターゲットは、上記(1)記載のターゲットがシート片からなるカバー体ｐを備えており、
前記ターゲットおよび／またはカバー体ｐは、ターゲットの本体部に対しカバー体ｐを位置決めする位置決め手段を備え、
前記カバー体ｐは、貼着手段をカバー体裏面側に有すると共に、本体部の反射部よりも小さいカバー体反射部をカバー体表面側に有し、前記位置決め手段により位置決めされて少なくとも本体部の表側に貼着された状態において、少なくとも本体部の表側の反射部を覆い且つ本体部の反射部における所定位置に対応する位置にカバー体反射部が位置するものであることが好ましい。
【００１６】
計測対象を写真計測する場合に、全体（又は広い範囲）の計測に加えて、一部分（又は狭い範囲）を細部まで計測することがある。
【００１７】
この場合、全体の計測は、比較的大きいターゲットａからなり分布範囲が大きく分布密度が低いターゲット群Ａを写真撮影する。一方、一部分の計測は、比較的小さいターゲットｂからなり分布範囲が小さく分布密度が高いターゲット群Ｂを、より近くから（又はより高い倍率で）写真撮影する。全体の計測のための写真撮影は、ターゲットａからなるターゲット群Ａを計測対象に配設して行い、前記全体の一部分についての計測のための写真撮影は、ターゲットｂからなり、ターゲット群Ａよりも分布範囲が小さく分布密度が高いターゲット群Ｂを計測対象に配設して行うことができる。ターゲット群Ｂの分布範囲の全部又は部分はターゲット群Ａの分布範囲に含まれ、ターゲット群Ａとターゲット群Ｂの分布範囲が重複する部分において、ターゲット群Ｂのターゲットｂの一部が特定する位置と、ターゲット群Ａのターゲットａの一部又は全部が特定する位置が共通するものとする。
【００１８】
ターゲットａのうち、それによって特定する位置がターゲットｂと共通すべきものについては、ターゲットａの本体部の表側に、カバー体ｐを位置決め手段により位置決めして貼着することにより、ターゲットｂとすることができる。すなわち、カバー体ｐが貼着対象であるターゲットａにおける少なくとも本体部の表側の反射部を覆うと共に、ターゲットａの本体部の反射部よりも小さいカバー体反射部が、そのターゲットａの本体部の反射部における所定位置に対応する位置（好ましくは中央）に位置してターゲットｂを構成することができる。ターゲット群Ａの撮影はカバー体ｐを貼着しない状態で行い、ターゲット群Ｂの撮影はカバー体ｐを貼着した状態で行うことができる。
【００１９】
これにより、全体についてのターゲット群Ａと一部分についてのターゲット群Ｂの分布範囲が重複する部分において、ターゲット群Ｂのターゲットｂの一部が特定する位置と、ターゲット群Ａのターゲットａの一部又は全部が特定する位置を、精度よく共通化することができるので、写真撮影された全体の座標系と前記一部分の座標系を精度よく接続して、計測対象全体及び前記一部分についての位置的な計測を途切れなく連続的に行うことができる。
【００２０】
(2-2) 本考案の写真計測用のターゲットは、上記(1)記載のターゲットがシート片からなるカバー体ｑを備えており、
前記ターゲットおよび／またはカバー体ｑは、ターゲットの本体部に対しカバー体ｑを位置決めする位置決め手段を備え、
前記カバー体ｑは、貼着手段をカバー体裏面側に有すると共に、本体部の反射部よりも大きいカバー体反射部をカバー体表面側に有し、前記位置決め手段により位置決めされて本体部および／または計測対象に貼着された状態において、少なくとも本体部の表側の反射部を覆い且つ本体部の反射部に対し所定の位置関係で前記カバー体反射部が位置するものであることが好ましい。
【００２１】
ターゲットｂのうち、それによって特定する位置がターゲットａと共通すべきものについては、ターゲットａの本体部および／または計測対象に、カバー体ｑを位置決め手段により位置決めして貼着することにより、ターゲットａとすることができる。すなわち、カバー体ｑが貼着対象であるターゲットｂにおける少なくとも本体部の表側の反射部を覆うと共に、ターゲットｂの本体部の反射部よりも大きいカバー体反射部が、そのターゲットｂの本体部の反射部に対し所定の位置関係（好ましくは中心を共通にする位置関係）に位置してターゲットａを構成することができる。ターゲット群Ｂの撮影はカバー体ｑを貼着しない状態で行い、ターゲット群Ａの撮影はカバー体ｑを貼着した状態で行うことができる。
【００２２】
(2-3) 本考案の写真計測用のターゲットは、上記(1)記載のターゲットがシート片からなるカバー体ｒを備えており、
前記カバー体ｒは、貼着手段により、本体部の表側に本体部から取り外し可能に貼着されており、本体部の反射部よりも小さい小カバー体反射部をカバー体表面側に有し、本体部の表側の反射部を覆い且つ本体部の反射部における所定位置に対応する位置に前記小カバー体反射部が位置しているものであることが好ましい。
【００２３】
カバー体ｒは、貼着手段により、ターゲットａの本体部の表側に本体部から取り外し可能に貼着されており、ターゲットａの本体部の反射部よりも小さい小カバー体反射部をカバー体表面側に有し、ターゲットａの本体部の表側の反射部を覆うと共に、本体部の反射部における所定位置（好ましくは中央）に小カバー体反射部が位置してターゲットｂを構成している。そのため、カバー体ｒを取り外すと、取り外す前の小カバー体反射部の位置に対し所定位置に反射部が位置するターゲットａが表れることになる。ターゲット群Ｂの撮影はカバー体ｒが貼着された状態で行い、ターゲット群Ａの撮影はカバー体ｒを取り外した状態で行うことができる。
【００２４】
(2-4) 本考案の写真計測用のターゲットは、上記(1)記載のターゲットがシート片からなるカバー体ｓを備えており、
前記カバー体ｓは、貼着手段により、本体部の表側に本体部から取り外し可能に貼着されており、本体部の反射部よりも大きい大カバー体反射部をカバー体表面側に有し、本体部の表側の反射部を覆い且つ本体部の反射部に対し所定の位置関係で前記大カバー体反射部が位置しているものであることが好ましい。
【００２５】
カバー体ｓは、貼着手段により、ターゲットｂの本体部の表側に本体部から取り外し可能に貼着されており、ターゲットｂの本体部の反射部よりも大きい大カバー体反射部をカバー体表面側に有し、ターゲットｂの本体部の表側の反射部を覆うと共に、本体部の反射部に対し所定の位置関係（好ましくは中心を共通にする位置関係）で大カバー体反射部が位置してターゲットａを構成している。そのため、カバー体ｓを取り外すと、取り外す前の大カバー体反射部の位置に対し所定の位置関係に反射部が位置するターゲットｂが表れることになる。ターゲット群Ａの撮影はカバー体ｓが貼着された状態で行い、ターゲット群Ｂの撮影はカバー体ｓを取り外した状態で行うことができる。
【００２６】
(2-5) 本考案の写真計測用のターゲットは、上記(1)記載のターゲットがシート片からなるカバー体ｔを備えており、
前記ターゲットおよび／またはカバー体ｔは、ターゲットの本体部に対しカバー体ｔを位置決めする位置決め手段を備え、
前記カバー体ｔは、貼着手段をカバー体裏面側に有すると共に、本体部の反射部よりも小さい小透孔を有し、前記位置決め手段により位置決めされた状態において、前記小透孔以外の部分が少なくとも本体部の表側の反射部を覆い且つ本体部の反射部における所定位置に対応する位置に前記小透孔が位置するものであることが好ましい。
【００２７】
ターゲットａのうち、それによって特定する位置がターゲットｂと共通すべきものについては、ターゲットａの本体部に対しカバー体ｔを位置決め手段により位置決めして貼着することにより、ターゲットｂとすることができる。すなわち、カバー体ｔにおける小透孔以外の部分が貼着対象であるターゲットａにおける少なくとも本体部の表側の反射部を覆うと共に、カバー体ｔのうちターゲットａの本体部の反射部よりも小さい小透孔が、そのターゲットａの本体部の反射部における所定位置に対応する位置（好ましくは中央）に位置することにより、小透孔内のみが反射部を構成するターゲットｂとすることができる。ターゲット群Ａの撮影はカバー体ｔを貼着しない状態で行い、ターゲット群Ｂの撮影はカバー体ｔを貼着した状態で行うことができる。
【００２８】
(2-6) 本考案の写真計測用のターゲットは、上記(1)記載のターゲットがシート片からなるカバー体ｕを備えており、
前記ターゲットおよび／またはカバー体ｕは、ターゲットの本体部に対しカバー体を位置決めする位置決め手段を備え、
前記カバー体ｕは、貼着手段をカバー体裏面側に有すると共に、本体部の反射部以下の大きさの透孔を有し、前記位置決め手段により位置決めされた状態において、前記透孔内に本体部の反射部の所定部分が位置し且つ本体部の反射部に対し所定の位置関係で前記透孔を取り囲んでカバー体反射部が位置するものであることが好ましい。
【００２９】
ターゲットｂのうち、それによって特定する位置がターゲットａと共通すべきものについては、ターゲットａの本体部および／または計測対象に、カバー体ｕを位置決め手段により位置決めして貼着することにより、ターゲットａとすることができる。すなわち、カバー体ｕにおける透孔内にターゲットｂの本体部の反射部の所定部分が位置し且つ本体部の反射部に対し所定の位置関係（好ましくは中心を共通にする位置関係）で透孔を取り囲んでカバー体反射部が位置することにより、透孔内の本体部の反射部とカバー体反射部が併せて反射部を構成するターゲットａとすることができる。ターゲット群Ｂの撮影はカバー体ｕを貼着しない状態で行い、ターゲット群Ａの撮影はカバー体ｕを貼着した状態で行うことができる。
【００３０】
(2-7) 本考案の写真計測用のターゲットは、上記(1)記載のターゲットがシート片からなるカバー体ｖを備えており、
前記カバー体ｖは、貼着手段により、本体部の表側に本体部から取り外し可能に貼着されており、本体部の反射部よりも小さい小透孔を有し、前記小透孔以外の部分が少なくとも本体部の表側の反射部を覆い且つ本体部の反射部における所定位置に対応する位置に前記小透孔が位置しているものであることが好ましい。
【００３１】
カバー体ｖは、貼着手段により、ターゲットａの本体部の表側に本体部から取り外し可能に貼着されており、ターゲットａの本体部の反射部よりも小さい小透孔を有し、ターゲットａの本体部の表側の反射部を覆うと共に、本体部の反射部における所定位置に対応する位置（好ましくは中央）に小透孔が位置している。そのため、カバー体ｖが貼着された状態では、小透孔内のみが反射部を構成するターゲットｂを構成している。カバー体ｖを取り外すと、取り外す前の小透孔の位置に対し所定位置に反射部が位置するターゲットａが表れることになる。ターゲット群Ｂの撮影はカバー体ｖが貼着された状態で行い、ターゲット群Ａの撮影はカバー体ｖを取り外した状態で行うことができる。
【００３２】
(2-8) 本考案の写真計測用のターゲットは、上記(1)記載のターゲットがシート片からなるカバー体ｗを備えており、
前記カバー体ｗは、貼着手段により、少なくとも本体部の表側に本体部から取り外し可能に貼着されており、本体部の反射部以下の大きさの透孔を有し、前記透孔内に本体部の反射部の所定部分が位置し且つ本体部の反射部に対し所定の位置関係で前記透孔を取り囲んでカバー体反射部が位置しているものであることが好ましい。
【００３３】
カバー体ｗは、貼着手段により、少なくともターゲットｂの本体部の表側に本体部から取り外し可能に貼着されており、ターゲットｂの反射部以下の大きさの透孔を有し、透孔内に本体部の反射部の所定部分が位置し且つ本体部の反射部に対し所定の位置関係（好ましくは中心を共通にする位置関係）で前記透孔を取り囲んでカバー体反射部が位置している。そのため、カバー体ｗが貼着された状態では、孔内の本体部の反射部とカバー体反射部が併せて反射部を構成するターゲットａを構成している。カバー体ｗを取り外すと、取り外す前の透孔の位置に対し所定の位置関係に反射部が位置するターゲットｂが表れることになる。ターゲット群Ａの撮影はカバー体ｗが貼着された状態で行い、ターゲット群Ｂの撮影はカバー体ｗを取り外した状態で行うことができる。
【００３４】
(2-9) 上記(2-1)、(2-2)、(2-5)又は(2-6)記載の写真計測用のターゲットは、カバー体が着脱可能なものであり、そのカバー体に外方突出部を有し、その外方突出部の裏側には、全部に貼着手段を有しないか又は少なくとも外方突出部の端部を除く部分に貼着手段を有するものであることが好ましい。
【００３５】
カバー体から外方に突出した外方突出部の全部又は少なくとも端部の裏側に貼着手段が設けられていないため、裏側に設けられた貼着手段により少なくともターゲットの本体部に貼着されたカバー体を取り外す場合に、カバー体の外方突出部のうち、端部等の裏側に貼着手段が設けられていない部分を摘むことにより、カバー体の取り外しを円滑に実行することができる。そのため、多数のカバー体をターゲットから取り外す作業を容易且つ迅速に行うことができる。
【００３６】
(2-10) 上記(2-3)、(2-4)、(2-7)又は(2-8)記載の写真計測用のターゲットは、カバー体に外方突出部を有し、その外方突出部の裏側には、全部に貼着手段を有しないか又は少なくとも端部を除く部分に貼着手段を有するものであることが好ましい。
【００３７】
カバー体から外方に突出した外方突出部の全部又は少なくとも端部の裏側に貼着手段が設けられていないため、裏側に設けられた貼着手段により少なくともターゲットの本体部に貼着されたカバー体を取り外す場合に、カバー体の外方突出部のうち、端部等の裏側に貼着手段が設けられていない部分を摘むことにより、カバー体の取り外しを円滑に実行することができる。そのため、多数のカバー体をターゲットから取り外す作業を容易且つ迅速に行うことができる。
【００３８】
(3) 本考案のターゲット貼着用具は、
光線類を反射するための反射部を表側に有し裏側に貼着手段を有する写真計測用のターゲットを計測対象に貼着するための貼着用具であって、
前記ターゲットをその表側において吸着し得る吸着部と、
その吸着部が先端側に設けられた柄部と、
その柄部の基端側に設けられ、前記吸着部を吸着可能状態と非吸着状態に切り替えることができる操作部を有することを特徴とする。
【００３９】
柄部の基端側の操作部において吸着部を吸着可能状態とし、柄部の先端側の吸着部においてターゲットの表側を吸着した状態で、吸着部を移動させてターゲットの裏側の貼着手段によりそのターゲットを計測対象の所要位置に貼着し、その後、操作部において吸着部を非吸着状態として吸着部をターゲットから分離することにより、所要位置に対するターゲットの貼着を実行することができる。
【００４０】
上記ターゲット貼着用具は、吸着部にターゲットの表側を吸着した状態において、ターゲットの表側のうち吸着部に吸着された部分の特定位置を示す指示手段を、柄部の基端側から目視し得るように備えたものであることが好ましい。
【００４１】
吸着部にターゲットの表側を吸着させる場合に、ターゲットの表側のうち反射部の所定位置（好ましくは中心）を、指示手段が示す特定位置（好ましくは中心）に位置させる。そのターゲットの表側のうち吸着部に吸着された部分の特定位置を示す指示手段を、柄部の基端側から目視し得るので、ターゲットを計測対象に貼着するに際し、計測対象における所要位置がターゲットの反射部の特定位置となるように貼着する上で好適である。
【００４２】
また、上記ターゲット貼着用具は、吸着部に吸着されたターゲットと柄部の軸線方向との角度を変更し得る角度変更手段を備えたものであることが好ましい。
【００４３】
この場合、貼着作業者と貼着対象箇所との位置関係に応じ、角度変更手段により、吸着部に吸着されたターゲットと柄部の軸線方向との角度を変更することにより、貼着対象箇所にターゲットの裏側を容易且つ確実に貼着し得るようにしてターゲット貼着作業を行うことができる。
【考案の効果】
【００４４】
本考案の写真計測用ターゲットによれば、裏側に設けられた貼着手段により計測対象に貼着されたターゲットを計測対象から取り外す場合に、ターゲットの外方突出部のうち、端部等の裏側に貼着手段が設けられていない部分を摘むことにより、ターゲットの取り外しを円滑に実行することができるので、多数のターゲットを計測対象から取り外す作業を容易且つ迅速に行うことができる。
【００４５】
また、カバー体を備える本考案の写真計測用ターゲットによれば、全体（又は広い範囲）についてのターゲット群と一部分（又は狭い範囲）についてのターゲット群の分布範囲が重複する部分において、一部分についてのターゲット群のターゲットの一部が特定する位置と、全体についてのターゲット群のターゲットの一部又は全部が特定する位置を、精度よく共通化することができるので、写真撮影された全体の座標系と前記一部分の座標系を精度よく接続して、計測対象の全体及び一部分についての位置的な計測を途切れなく連続的に行うことができる。
【００４６】
また、本考案の貼着用具によれば、ターゲットの貼着を行い難い位置に対しターゲットを容易に貼着することができる。
【考案を実施するための最良の形態】
【００４７】
本考案の実施の形態を、図面を参照しつつ説明する。図面は何れも本考案の実施の形態の一例に関するものである。
【００４８】
図１は写真計測用ターゲットの平面図(a)及び裏面図(b)、図２は小さい写真計測用ターゲット（カバー体）の平面図、図３はカバー体の平面図、図４は写真計測用ターゲットの平面図、図５は写真計測用ターゲット及びカバー体の平面図、図６はカバー体の平面図、図７はカバー体の平面図、図８は鉄筋コンクリート用鉄筋の写真計測についての斜視図、図９は写真計測用ターゲットを使用した写真計測についての斜視図(a)及び一部分拡大図(b)、図１０は写真計測用ターゲット及びカバー体を使用した写真計測についての一部分拡大図、図１１はターゲット貼着具の正面図、図１２(a)はターゲット貼着具の要部拡大断面図、図１２(b)はＸ方向図である。
【００４９】
(1) 写真計測用ターゲット
【００５０】
ターゲットａは、紙製のシート片（紙製に限るものではなく、例えば合成樹脂シート製であってもよい。）からなり、円形の本体部１０（円形に限るものではない。例えば、正方形又はその他の多角形、楕円形等を適宜採用し得る。）と、その本体部１０から外方に突出した帯片状の外方突出部１２（外方突出部は必ずしも１つに限らない。）とを備える。
【００５１】
本体部１０の表側の中央部には、光線類を反射するための、直径が本体部１０の約半分の円形の反射部１４を有する。本体部１０の表側のうち反射部１４の残部、すなわち反射部１４を取り囲む環状部分の全て、並びに外方突出部１２の表側全面は、光線類を吸収する無反射部１６（非反射部）である。本体部１０の裏側全面には、計測対象に対し着脱可能な粘着剤層１８（貼着手段の一例）を備える。外方突出部１２の裏側には粘着剤層を有しない。このようなターゲットａは、例えば、シート状物の表面側に反射材層を形成し、その上に、本体部１０の反射部１４を取り囲むと共に外方突出部１２の表側面を構成する無反射部１６を形成するための黒色無反射塗料を印刷し、計測対象に着脱可能なものとするための粘着剤層を裏面側に印刷により設けることにより製造することができる。
【００５２】
反射部１４は、写真撮影に用いるストロボ光等の照明光（必ずしも可視光に限らない。）を、できるだけ指向性なく反射し得るものとすることが望ましい。反射部１４は、例えば再帰反射性を有するものとすることができる。反射部１４の形状は、撮影角度の如何によらずに写真上の反射部１４の像から中心位置を特定し易い形状である円形が最適であるが、必ずしも円形に限るものではない。外方突出部１２は、裏面のうち端部を除く部分に粘着剤層等の貼着手段を有するものとすることができる。
【００５３】
ターゲットａを用いた写真計測は例えば次のように行うことができる。先ず、図８に示すように、計測対象（直接の計測対象に限らない。直接の計測対象を計測する上で利用する計測対象を含む。）である鉄筋コンクリート用鉄筋２０に対し写真計測に必要な所要位置群を設定し、その所要位置群を構成する各所要位置を特定するためのターゲットａを、各所要位置が中心（又はその他の所定位置）に位置するようにそれぞれ貼着する。なお、計測対象としては、他に、例えば建築、橋梁、プラント等の構造物、斜面、岩盤、コンクリート壁やスラブ、各種物品等を挙げることができ、特に限定されない。
【００５４】
次に、一つのカメラ（好適にはディジタルカメラ）を用いて、ターゲットａを含めて計測対象を複数の方向から写真撮影する。写真撮影は、ストロボ等を使用してターゲットａの反射部１４の反射光を明瞭に捉えるように行うことが望ましい。
【００５５】
撮影された写真上で、ターゲット像の中心位置（又はターゲットに対し所定関係にある位置）を、写真上の所要位置として求める。ターゲットａは、反射部１４が無反射部１６により取り囲まれているので、写真撮影において反射部１４の明瞭な像が確実に得られ、精度の良い写真計測を実現し得る。
【００５６】
撮影された写真上の所要位置に基づき、ターゲットａの空間座標を算出し、計測対象についての位置的な計測（位置、形状、長さ、角度、変位等についての計測）を行う。
【００５７】
写真撮影後、ターゲットａを計測対象から取り外す。裏側に貼着手段が設けられていない外方突出部１２がターゲットａの本体部１０から外方に突出しているので、その外方突出部１２を摘むことにより、ターゲットａの取り外しを円滑に実行することができ、多数のターゲットａを計測対象から取り外す作業を容易且つ迅速に行うことができる。尤も、必ずしも全てのターゲットを取り外すことを要するとは限らない。
【００５８】
(2) カバー体を備えた写真計測用ターゲット
【００５９】
例えば図９及び図１０に示すように、計測対象Ｊを写真計測する場合に、全体の計測に加えて、一点鎖線の円で囲んだ一部分Ｍを細部まで計測することがある。
【００６０】
この場合、全体の計測は、図９(a)に示すように計測対象Ｊ全体に大きい方のターゲットａを比較的低い分布密度で貼着してなるターゲット群Ａを、複数方向から一つのカメラを用いて写真撮影する。一方、一部分Ｍの計測は、図１０に示すように計測対象Ｊの一部分Ｍに小さいターゲットｂ（図２に示すように、ターゲットａと大きさが異なるが同じ構成のもの。）を比較的高い分布密度で貼着してなるターゲット群Ｂを、ターゲット群Ａについての撮影に用いるのと同じカメラを用いて、より近くから複数方向より写真撮影する。
【００６１】
ターゲット群Ｂのターゲットの一部であるターゲットｂ１が特定する位置は、ターゲット群Ａのターゲットの一部であるターゲットａ１が特定する位置と共通するものとしている。
【００６２】
(2-1) 図３に示すカバー体ｐは、カバー体反射部１４１の直径及び無反射部１６の内径がターゲットａの反射部１４及び無反射部１６よりそれぞれ小さいことを除きターゲットａと同じ構成である。
【００６３】
カバー体ｐの外周縁の大部分を構成する円形外周縁と、ターゲットａの外周縁の大部分を構成する円形外周縁が、ターゲットａの本体部１０に対しカバー体ｐを位置決めする位置決め手段である。ターゲットａの円形外周縁上にカバー体ｐの円形外周縁を重ね合わせることにより、カバー体ｐはターゲットａの表側を全て覆い、ターゲットａの反射部１４の中心上にカバー体ｐのカバー体反射部１４１の中心が位置決めされることになる。
【００６４】
図９におけるターゲットａ１としてのターゲットａの本体部１０の表側に、図１０に示すように円形外周縁を重ね合わせてカバー体ｐを貼着することにより、カバー体反射部１４１の中心がターゲットａの反射部１４の中心に位置決めされた状態のターゲットｂ１が形成される。予めターゲットａにカバー体ｐが位置決め貼着されたものをターゲットｂ１として用い、カバー体ｐを外してターゲットａ１とすることもできる。
【００６５】
ターゲット群Ａの撮影はターゲットａ１としてのターゲットａ上にカバー体ｐを貼着しない状態で行い、ターゲット群Ｂの撮影はターゲットａ１としてのターゲットａ上にカバー体ｐを貼着した状態で行うことができる。これにより、ターゲット群Ｂのターゲットｂの一部が特定する位置と、ターゲット群Ａのターゲットａの一部が特定する位置を精度良く共通化することができるので、写真撮影された全体の座標系と一部分Ｍの座標系を精度よく接続して、計測対象Ｊ全体及び一部分Ｍについての位置的な計測を途切れなく連続的に行うことができる。
【００６６】
また、カバー体ｐをターゲットｂ１とし、カバー体ｐにターゲットａを同心状に重ね合わせて貼着（予め貼着も可）したものをターゲットａ１とすることもできる。
【００６７】
(2-2) 図４に示すターゲットａ２は、無反射部１６のうち本体部１０の中心を中心とした同一直径上の９０度中心角毎の４箇所に位置決めマーク２４が設けられていることを除きターゲットａと同じ構成である。カバー体ｑは、図２に示すターゲットｂと同じ構成である。
【００６８】
カバー体ｑの外周縁の大部分を構成する円形外周縁は、ターゲットａ２の４つの位置決めマーク２４（位置決め手段の一例）の内側に丁度位置し得、その状態で反射部１４の中心にカバー体反射部１４１の中心が位置決めされる関係となっている。
【００６９】
図９におけるターゲットａ１としてのターゲットａ２の本体部１０の表側に、４つの位置決めマーク２４の内側に円形外周縁を位置させてカバー体ｑ［図２］を貼着することにより、カバー体ｑはターゲットａ２の反射部１４を全て覆い、ターゲットａ２の反射部１４の中心上にカバー体ｑのカバー体反射部１４１の中心が位置決めされて、ターゲットｂ１が形成される。予めターゲットａ２にカバー体ｑが位置決め貼着されたものをターゲットｂ１として用い、カバー体ｑを外してターゲットａ１とすることもできる。
【００７０】
ターゲット群Ａの撮影はカバー体ｑを貼着しない状態で行い、ターゲット群Ｂの撮影はカバー体ｑを貼着した状態で行うことができる。
【００７１】
(2-3) 図５(a)に示すターゲットｂ２は、反射部１４の直径及び無反射部１６の内径がターゲットａ２よりそれぞれ小さいことを除きターゲットａ２と同じ構成である。図５(b)に示すカバー体ｓ１は、カバー体反射部１４１の直径及び無反射部１６の内径がそれぞれ大きいことを除きカバー体ｑと同様の構成である。図５(c)に示すカバー体ｓ２は、外方突出部１２を除く表側の全面がカバー体反射部１４１であることを除きカバー体ｑと同様の構成である。
【００７２】
カバー体ｓ１及びカバー体ｓ２の各外周縁の大部分を構成する各円形外周縁は、ターゲットｂ２の４つの位置決めマーク２４（位置決め手段）の内側に丁度位置し得、その状態でターゲットｂ２の反射部１４の中心に、その反射部１４よりも直径が大きいカバー体反射部１４１の中心が位置決めされる関係となっている。
【００７３】
図９におけるターゲットｂ１としてのターゲットｂ２の本体部１０の表側に、４つの位置決めマーク２４の内側に円形外周縁を位置させてカバー体ｓ１又はｓ２を貼着することにより、カバー体ｓ１及びｓ２は何れもターゲットｂ２の反射部１４を全て覆い、ターゲットｂ２の反射部１４の中心上にカバー体ｓ１又はｓ２のカバー体反射部１４１の中心が位置決めされて、図９におけるターゲットａ１が形成される。予めターゲットｂ２にカバー体ｓ１又はｓ２が位置決め貼着されたものをターゲットａ１として用い、カバー体ｓ１又はｓ２を外してターゲットｂ１とすることもできる。
【００７４】
ターゲット群Ｂの撮影はカバー体ｓ１又はｓ２を貼着しない状態で行い、ターゲット群Ａの撮影はカバー体ｓ１又はｓ２を貼着した状態で行うことができる。
【００７５】
(2-4) 図６に示すカバー体ｔは、カバー体反射部１４１に相当する部分が小透孔２６に形成されていることを除きカバー体ｐと同じ構成である。
【００７６】
カバー体ｔの外周縁の大部分を構成する円形外周縁と、ターゲットａの外周縁の大部分を構成する円形外周縁が、ターゲットａの本体部１０に対しカバー体ｔを位置決めする位置決め手段である。ターゲットａの円形外周縁上にカバー体ｔの円形外周縁を重ね合わせることにより、カバー体ｔはターゲットａの表側を全て覆い、ターゲットａの反射部１４の中心上にカバー体ｔの小透孔２６の中心が位置決めされることになる。
【００７７】
図９におけるターゲットａ１としてのターゲットａ［図１］の本体部１０の表側に、図１０に示すように円形外周縁を重ね合わせてカバー体ｔを貼着することにより、小透孔２６の中心がターゲットａの反射部１４の中心に位置決めされてターゲットａの反射部１４のうち小透孔２６内のみが反射部１４を構成するターゲットｂ１が形成される。予めターゲットａにカバー体ｔが位置決め貼着されたものをターゲットｂ１として用い、カバー体ｔを外してターゲットａ１とすることもできる。
【００７８】
ターゲット群Ａの撮影はターゲットａ１としてのターゲットａ上にカバー体ｔを貼着しない状態で行い、ターゲット群Ｂの撮影はターゲットａ１としてのターゲットａ上にカバー体ｔを貼着した状態で行うことができる。
【００７９】
(2-5) 図７に示すカバー体ｕは、中央にターゲットｂ２の反射部１４の直径よりもやや小さい直径の透孔２８を有することを除きカバー体ｓ２と同様の構成である。
【００８０】
カバー体ｕの外周縁の大部分を構成する円形外周縁は、ターゲットｂ２の４つの位置決めマーク２４（位置決め手段）の内側に丁度位置し得、その状態でターゲットｂ２の反射部１４の中心に、その反射部１４よりも直径が小さい透孔２８の中心が位置決めされる関係となっている。
【００８１】
図９におけるターゲットｂ１としてのターゲットｂ２［図５(a)］の本体部１０の表側に、４つの位置決めマーク２４の内側に円形外周縁を位置させてカバー体ｕを貼着することにより、透孔２８の中心がターゲットｂ２の反射部１４の中心に位置決めされ、透孔２８を取り囲んでカバー体反射部１４１が位置することにより、透孔２８内の反射部１４とカバー体反射部１４１が併せて反射部１４を構成するターゲットａとすることができる。予めターゲットｂ２にカバー体ｕが位置決め貼着されたものをターゲットａ１として用い、カバー体ｕを外してターゲットｂ１とすることもできる。
【００８２】
ターゲット群Ｂの撮影はカバー体ｕを貼着しない状態で行い、ターゲット群Ａの撮影はカバー体ｕを貼着した状態で行うことができる。
【００８３】
(3) ターゲット貼着用具Ｌ
【００８４】
図１０に示すターゲット貼着用具Ｌは、管状の柄部Ｌ１と、柄部Ｌ１の基部に連通した袋状の操作部Ｌ２と、柄部Ｌ１の先端が軸線に対し傾斜（例えば２０−７０度）した傾斜端面に形成されてなる吸着部Ｌ３からなる。操作部Ｌ２は、挟圧により収縮し得、挟圧解除により弾性的に復元し得る。
【００８５】
操作部Ｌ２は、挟圧により内部の空気が排出され、挟圧解除により負圧状態となって、吸着部Ｌ３にターゲットａ（カバー体を備える写真計測用ターゲット又はそのカバー体を含む。但し、透孔を有するカバー体はこの限りではない。）を吸着し得る状態、すなわち吸着部Ｌ３が吸着可能状態となる。
【００８６】
この状態でターゲットａを吸着部Ｌ３に吸着し、吸着部Ｌ３を移動させてターゲットａの裏側の粘着剤層１８によりそのターゲットａを計測対象の所要位置に貼着することができる。その後、操作部Ｌ２を挟圧して内部の空気を排出することにより、吸着部Ｌ３を非吸着状態として吸着部Ｌ３をターゲットａから分離することにより、所要位置に対するターゲットａの貼着を実行することができる。そのため、図８に示す鉄筋コンクリート用鉄筋２０の奥方の位置のように植設の貼着が困難な位置にも比較的容易にターゲットａを貼着することができる。
【００８７】
なお、吸着部における吸着は、大気圧に対する負圧を利用するものに限らず、例えば、ターゲットを磁気吸着可能な材料により構成してターゲット貼着用具に電磁石を用い、操作部により電磁石をオンオフして吸着部を吸着可能状態と非吸着状態に切り替えることができるものとすることもできる。
【００８８】
吸着部は傾斜端面に形成されていることが好ましい。傾斜角度は、例えば、柄部Ｌ１の一部（例えば基部近傍又は先端部近傍）に可撓性部又は球面軸受部（図示せず）等を設けることにより、変更可能なものとすることができる。なお、傾斜角度変更のための可撓性部や球面軸受部等は、ターゲットの貼着に要する圧力を柄部の基部側から吸着部に伝達し得る程度の傾斜角度変更に対する抵抗性を有するものとすることが望ましい。
【００８９】
ターゲット貼着用具は、このように、吸着部Ｌ３に吸着されたターゲットａと柄部Ｌ１の軸線方向との角度を変更し得る角度変更手段を備えたものであることが好ましい。この場合、貼着作業者と貼着対象箇所との位置関係に応じ、角度変更手段により、吸着部Ｌ３に吸着されたターゲットａと柄部Ｌ１の軸線方向との角度を変更することにより、貼着対象箇所にターゲットａの裏側を容易且つ確実に貼着し得るようにしてターゲット貼着作業を行うことができる。
【００９０】
図１１に示すターゲット貼着用具Ｌは、図１０と同様の操作部Ｌ２を基部に備えた柄部Ｌ１の先端に、吸着用連結体Ｌ４が連結されてなるものである。吸着用連結体Ｌ４は、基部側が柄部Ｌ１に連結され、吸着用連結体Ｌ４の先端部に、傾斜端面形成された吸着部Ｌ３が設けられている。吸着部Ｌ３には、その中心に相当する位置を中心に外方に向かって四方に突起する指示突起Ｌ５（指示手段）を有する。この指示突起Ｌ５は、吸着部Ｌ３にターゲットａ（カバー体を備えるターゲット又はそのカバー体を含む。但し、透孔を有するカバー体はこの限りではない。）の表側を吸着した状態において、ターゲットａの表側のうち吸着部Ｌ３に吸着された部分の中心位置（中心以外の特定位置とすることもできる。）を示すものであり、柄部Ｌ１の基端側から目視し得る。指示手段はこれに限るものではなく、例えば吸着部の外周にフランジ状部を設けてそのフランジ状部に位置特定表示を施すこともできる。
【００９１】
吸着部Ｌ３にターゲットａの表側を吸着させる場合に、ターゲットａの表側のうち反射部１４の中心位置（これに限らない。）を、指示突起Ｌ５が示す中心に位置させる。そのターゲットａの表側のうち吸着部Ｌ３に吸着された部分の中心を示す指示突起Ｌ５を、柄部Ｌ１の基端側から目視し得るので、ターゲットａを計測対象に貼着するに際し、計測対象における所要位置がターゲットａの反射部１４の中心位置となるように貼着する上で好適である。
【００９２】
なお、以上の実施の形態についての記述における構成部品の寸法、個数、材質、形状、その相対配置などは、特にそれらに限定される旨の記載がない限りは、この考案の範囲をそれらのみに限定する趣旨のものではなく、単なる説明例に過ぎない。
【図面の簡単な説明】
【００９３】
【図１】写真計測用ターゲットの平面図(a)及び裏面図(b)である。
【図２】小さい写真計測用ターゲット（カバー体）の平面図である。
【図３】カバー体の平面図である。
【図４】写真計測用ターゲットの平面図である。
【図５】写真計測用ターゲット及びカバー体の平面図である。
【図６】カバー体の平面図である。
【図７】カバー体の平面図である。
【図８】鉄筋コンクリート用鉄筋の写真計測についての斜視図である。
【図９】写真計測用ターゲットを使用した写真計測についての斜視図(a)及び一部分拡大図(b)である。
【図１０】写真計測用ターゲット及びカバー体を使用した写真計測についての一部分拡大図である。
【図１１】ターゲット貼着具の正面図である。
【図１２】ターゲット貼着具の要部拡大断面図(a)及びＸ方向図(b)である。
【符号の説明】
【００９４】
１０    本体部
１２    外方突出部
１４    反射部
１４１  カバー体反射部
１６    無反射部
１８    粘着剤層
２０    鉄筋
２４    位置決めマーク
２６    小透孔
２８    透孔
ａ      ターゲット
ａ２    ターゲット
ｂ      ターゲット
ｂ１    ターゲット
ｂ２    ターゲット
Ｊ      計測対象
Ｌ      ターゲット貼着用具
Ｌ１    柄部
Ｌ２    操作部
Ｌ３    吸着部
Ｌ４    吸着用連結体
Ｌ５    指示突起
Ｍ      一部分
ｐ      カバー体
ｑ      カバー体
ｓ１    カバー体
ｓ２    カバー体
ｔ      カバー体
【図１】
0003119253.tif 000003
【図２】
0003119253.tif 000004
【図３】
0003119253.tif 000005
【図４】
0003119253.tif 000006
【図５】
0003119253.tif 000007
【図６】
0003119253.tif 000008
【図７】
0003119253.tif 000009
【図８】
0003119253.tif 000010
【図９】
0003119253.tif 000011
【図１０】
0003119253.tif 000012
【図１１】
0003119253.tif 000013
【図１２】
0003119253.tif 000014